(57)【要約】【課題】くるみ製本された本の被切断表紙の端部はみ出し部分の切断箇所を用紙束の小口に正確に揃えて、端部はみ出し部分を切断することができる切断用冶具を提供する。【解決手段】被切断表紙２の裏面と用紙束３との間に挿入される基板１１と、基板１１の両端部において軸支され且つ軸を中心に回動して被切断表紙２を基板１１の上面１１ａに挟持する押え板１３とを有し、基板１１に、外側方から小口４に当接する小口当接面１６が設けられ、押え板１３に、切断用刃を案内する切断案内面２２が設けられ、押え板１３を基板１１の上面１１ａ側へ回動して閉じた状態で、小口当接面１６と切断案内面２２とが同平面上に位置する。【選択図】図５
2008119777.tif 000002
【特許請求の範囲】
【請求項１】
くるみ製本された本の用紙束からはみ出した被切断表紙の端部はみ出し部分を切断するときに用いられる製本表紙の切断用冶具であって、
本の小口に沿って被切断表紙の裏面と用紙束との間に挿入される基板と、
基板の両端部において軸支され且つ軸を中心に回動して被切断表紙を基板上面に挟持する押え板とを有し、
基板に、外側方から小口に当接する小口当接部が設けられ、
押え板に、切断用刃を案内する切断案内部が設けられ、
押え板を基板上面側へ回動して閉じた状態で、小口当接部と切断案内部とが同平面上に位置することを特徴とする製本表紙の切断用冶具。
【請求項２】
押え板を金属で構成し、
基板に、押え板を吸着する磁石が設けられていることを特徴とする請求項１記載の製本表紙の切断用冶具。
【請求項３】
基板に、切断用刃の刃先を案内する切断案内溝が形成され、
切断時、切断案内部に案内される切断用刃の刃先が切断案内溝に嵌まり込むことを特徴とする請求項１又は請求項２記載の製本表紙の切断用冶具。
【発明の詳細な説明】
【技術分野】
【０００１】
本発明は、くるみ製本された本の用紙束からはみ出した被切断表紙の端部はみ出し部分を切断する製本表紙の切断用冶具に関する。
【背景技術】
【０００２】
従来、図７に示すように、用紙束４１を表紙４２でくるんで、用紙束４１の背面と表紙４２とを接着剤４３で接着するくるみ製本においては、用紙束４１の最大厚さに対応する表紙長さＬを有する表紙４２が用いられる。すなわち、図７（ｂ）に示すように、表紙４２の一端４２ａを用紙束４１の小口４４（側端）に揃えて、用紙束４１を表紙４２でくるみ、用紙束４１の背面と表紙４２とを接着剤４３で接着しており、用紙束４１の厚さが最大厚さよりも薄い場合、表紙４２の他端４２ｂが用紙束４１の小口４４から外側方へはみ出し、図７（ｃ）に示すように、このような端部はみ出し部分４５を切断して、表紙４２の他端を用紙束４１の小口４４に揃える必要があった。
【０００３】
尚、下記特許文献１には、カッターナイフをガイドシャフトで案内して紙等を一直線状に切断するカッターナイフ用直線定規が開示されている。
また、下記特許文献２には、レールに沿ってスライダを移動させて、スライダに保持されている回転刃で紙を一直線状に切断する切断機が開示されている。
【０００４】
さらに、下記特許文献３には、紙抑止体を基盤体上面側に回動して多数枚の用紙を基盤体上面に挟持し、押圧部材を移動して、押圧部材に内蔵されたカッターで紙を一直線状に裁断する裁断器が開示されている。
【特許文献１】特開平６−１０５９７２号公報
【特許文献２】特開平１１−３３３７８８号公報
【特許文献３】特開２００１−１５０３８３号公報
【発明の開示】
【発明が解決しようとする課題】
【０００５】
しかしながら、図７（ｃ）に示すように、表紙４２の他端４２ｂが用紙束４１の小口４４に揃うように端部はみ出し部分４５を正確に切断するのは難しく、表紙４２の他端４２ｂが用紙束４１の小口４４からずれた位置で切断されてしまうといった問題があった。
【０００６】
また、上記各特許文献１〜３の器具を用いた場合、紙等を一直線状に切断することはできるが、表紙４２の端部はみ出し部分４５の切断箇所を用紙束４１の小口４４に正確に揃えることは難しいといった問題がある。
【０００７】
本発明は、被切断表紙の端部はみ出し部分の切断箇所を用紙束の小口に正確に揃えて、上記端部はみ出し部分を切断することができる製本表紙の切断用冶具を提供することを目的とする。
【課題を解決するための手段】
【０００８】
上記目的を達成するために、本第一発明は、くるみ製本された本の用紙束からはみ出した被切断表紙の端部はみ出し部分を切断するときに用いられる製本表紙の切断用冶具であって、本の小口に沿って被切断表紙の裏面と用紙束との間に挿入される基板と、基板の両端部において軸支され且つ軸を中心に回動して被切断表紙を基板上面に挟持する押え板とを有し、基板に、外側方から小口に当接する小口当接部が設けられ、押え板に、切断用刃を案内する切断案内部が設けられ、押え板を基板上面側へ回動して閉じた状態で、小口当接部と切断案内部とが同平面上に位置するものである。
【０００９】
これによると、くるみ製本された本の小口に沿って被切断表紙の裏面と用紙束との間に基板を挿入し、小口当接部を外側方から小口に当接させる。次に、押え板を基板上面側へ回動して閉じ、被切断表紙を押え板と基板上面との間に挟持する。この状態で、切断案内部に沿って切断用刃を本の高さ方向へ移動させることにより、切断用刃が、切断案内部によって案内されながら移動し、被切断表紙の端部はみ出し部分を切断する。
【００１０】
上記切断の際、切断案内部と小口当接部とが同平面上に位置するため、切断案内部によって案内される切断用刃の刃先の位置が用紙束の小口の位置と同じになり、被切断表紙の端部はみ出し部分の切断箇所が用紙束の小口の位置と一致し、これにより、被切断表紙の端部が小口に揃うように端部はみ出し部分を正確かつ容易に切断することができる。
【００１１】
本第二発明は、押え板を金属で構成し、基板に、押え板を吸着する磁石が設けられているものである。
これによると、押え板を基板上面側へ回動して閉じ、被切断表紙を押え板と基板上面との間に挟持した際、磁石が押え板を吸着するため、押え板は、閉じた状態で固定され、不用意に開くのを防止することができる。これにより、被切断表紙を確実に挟持することができる。
【００１２】
本第三発明は、基板に、切断用刃の刃先を案内する切断案内溝が形成され、切断時、切断案内部に案内される切断用刃の刃先が切断案内溝に嵌まり込むものである。
これによると、切断の際、切断用刃が切断案内部によって案内されながら移動するとともに、切断用刃の刃先が切断案内溝に嵌まり込んで切断案内溝によって案内され、端部はみ出し部分が被切断表紙から切断される。したがって、切断用刃の刃先がぐらつくのを防止することができ、被切断表紙の端部が用紙束の小口に揃うように端部はみ出し部分をより一層正確に切断することができる。
【発明の効果】
【００１３】
以上のように本発明によれば、被切断表紙の端部はみ出し部分を切断する際、切断案内部と小口当接部とが同平面上に位置するため、被切断表紙の端部が用紙束の小口に揃うように端部はみ出し部分を正確かつ容易に切断することができる。
【発明を実施するための最良の形態】
【００１４】
以下、本発明における実施の形態を図１〜図６に基いて説明する。
図１，図５に示すように、１はくるみ製本された本であり、被切断表紙２の端部には、用紙束３からはみ出した端部はみ出し部分２ａが形成されている。また、１０は上記端部はみ出し部分２ａを切断するための切断用冶具であり、切断用冶具１０の構成を以下に説明する。
【００１５】
図１〜図５に示すように、切断用冶具１０は、本１の小口４に沿って被切断表紙２の裏面と用紙束３との間に挿入される基板１１と、被切断表紙２を基板１１の上面１１ａに挟持する押え板１３とを有している。基板１１の幅方向の一側部には、下方に突出する突部１５が全長にわたり形成されており、突部１５の側面には、外側方から小口４に当接する小口当接面１６（小口当接部の一例）が形成されている。
【００１６】
押え板１３は、鋼板等の金属製であり、基板１１の長さ方向の両端部においてアーム１７を介して軸支され、両軸１２を中心に回動自在に設けられている。図４〜図６に示すように、押え板１３の幅方向の一側部には案内体１９が設けられている。案内体１９は、上向きに起立して長さ方向にわたり形成されている案内片２０と、案内片２０の外側面から押え板１３の裏面にわたって当て付けられたＬ形状の薄い保護板２１とで構成されている。案内片２０に当て付けられた保護板２１の側面には、切断用刃５（カッター等）を本１の高さ方向Ｈ（すなわち切断方向）に案内する切断案内面２２（切断案内部の一例）が形成されている。
【００１７】
図１〜図３に示すように、基板１１の上面１１ａには凹部２４が全長にわたり形成され、凹部２４内には押え板１３を吸着する磁石２５が設けられている。図３（ｂ）に示すように、押え板１３を閉方向Ｓに回動して押え板１３を閉じた状態では、押え板１３の保護板２１が基板１１の上面１１ａに当接し、さらに、図６に示すように、小口当接面１６と切断案内面２２とが同平面上に位置するように設定されている。
【００１８】
図５，図６に示すように、基板１１の幅方向における一側部には、上面１１ａよりも一段低い陥没面２７が形成されている。陥没面２７から基板１１の一側面にわたってＬ形状の薄い保護板２８が当て付けられている。また、基板１１には、その上面１１ａから陥没面２７に落ち込む段差面３１と保護板２８の側面と陥没面２７とで囲まれた切断案内溝２９が長さ方向にわたって形成されている。切断案内溝２９は切断用刃５の刃先５ａを案内するものであり、切断時、押え板１３を閉じた状態で、段差面３１と切断案内面２２とが同平面上に位置するように設定されており、切断案内面２２に案内される切断用刃５の刃先５ａが切断案内溝２９に嵌まり込む。
【００１９】
以下、上記構成における作用を説明する。
図１（ｂ），図５に示すように、くるみ製本された本１の小口４に沿って被切断表紙２の裏面と用紙束３との間に切断用冶具１０の基板１１を挿入し、小口当接面１６を外側方から小口４に当接させる。
【００２０】
次に、押え板１３を閉方向Ｓへ回動して閉じ、被切断表紙２を押え板１３と基板１１の上面１１ａとの間に挟持する。この際、図５（ｂ）に示すように、磁石２５が押え板１３を吸着するため、押え板１３は、閉じた状態で固定され、不用意に開くのを防止することができる。これにより、被切断表紙２を確実に挟持することができる。
【００２１】
上記のように被切断表紙２を挟持した状態で、図４，図６（ｂ）に示すように、切断用刃５を切断案内面２２に沿って本１の高さ方向Ｈへ移動させることにより、切断用刃５が切断案内面２２によって案内されながら移動するとともに、切断用刃５の刃先５ａが切断案内溝２９に嵌まり込んで切断案内溝２９によって案内され、端部はみ出し部分２ａが被切断表紙２から切断される。
【００２２】
上記切断の際、図６に示すように、切断案内面２２と小口当接面１６とが同平面上に位置するため、切断案内面２２によって案内される切断用刃５の刃先５ａの位置が用紙束３の小口４（側端）の位置と同じになり、端部はみ出し部分２ａの切断箇所が小口４の位置と一致し、これにより、被切断表紙２の端部が小口４に揃うように端部はみ出し部分２ａを正確かつ容易に切断することができる。
【００２３】
さらに、上記のように切断用刃５の刃先５ａが切断案内溝２９によって案内されるため、切断用刃５の刃先５ａが刃厚方向にぐらつくのを防止することができ、端部はみ出し部分２ａをより一層正確に切断することができる。
【００２４】
尚、端部はみ出し部分２ａを切断した後、図５（ｂ）の仮想線で示すように、磁石２５の吸着力に抗して押え板１３を開方向Ｏへ回動して開き、基板１１を被切断表紙２の裏面と用紙束３との間から外側方へ脱抜する。
【００２５】
上記実施の形態では、図６に示すように、保護板２１の側面に切断案内面２２を形成しているが、保護板２１を設けず、切断案内面２２を案内片２０の外側面に形成してもよい。
【００２６】
上記実施の形態では、基板１１に陥没面２７を形成し、陥没面２７に保護板２８を設けて切断案内溝２９を形成しているが、陥没面２７と保護板２８とを設けず、基板１１の上面１１ａに切断案内溝２９を直接形成してもよい。
【図面の簡単な説明】
【００２７】
【図１】本発明の実施の形態における切断用冶具の斜視図であり、（ａ）は押え板を開いた状態を示し、（ｂ）は切断用冶具を本にセットした状態を示す。
【図２】同、切断用冶具の図であり、（ａ）は図１（ａ）におけるＸ−Ｘ矢視図、（ｂ）は図１（ａ）におけるＹ−Ｙ矢視図、（ｃ）は図１（ａ）におけるＺ−Ｚ矢視図である。
【図３】同、切断用冶具の拡大斜視図であり、（ａ）は押え板を開いた状態を示し、（ｂ）は押え板を閉じた状態を示す。
【図４】同、切断用冶具の拡大斜視図であり、押え板を閉じた状態を示す。
【図５】同、切断用冶具の正面図であり、（ａ）は押え板を開いた状態を示し、（ｂ）は押え板を閉じた状態を示す。
【図６】同、切断用冶具の小口当接面と切断案内面との部分の拡大縦断面図であり、（ａ）は押え板を閉じて被切断表紙を挟持した状態、（ｂ）は切断用刃で端部はみ出し部分を切断している状態を示す。
【図７】従来のくるみ製本の手順を説明する概略図である。
【符号の説明】
【００２８】
１      本
２      被切断表紙
２ａ    端部はみ出し部分
３      用紙束
４      小口
５      切断用刃
５ａ    刃先
１０    切断用冶具
１１    基板
１１ａ  上面
１２    軸
１３    押え板
１６    小口当接面（小口当接部）
２２    切断案内面（切断案内部）
２５    磁石
２９    切断案内溝
【図１】
2008119777.tif 000003
【図２】
2008119777.tif 000004
【図３】
2008119777.tif 000005
【図４】
2008119777.tif 000006
【図５】
2008119777.tif 000007
【図６】
2008119777.tif 000008
【図７】
2008119777.tif 000009